(57)【要約】【課題】連発式吹矢玩具装置の回転弾倉の着脱を簡素化し、かつ確実な連発式吹矢作業を可能とする。【解決手段】複数の弾倉受５Ａ５Ｂ５Ｃの材質を弾力性を有する材料にて構成する。この弾力性を利用することで回転弾倉２の瞬時の着脱を可能とした。回転弾倉の表面に設けられたガイドレール８（案内溝）、さらにこのガイドレール８上に設置されたロッキングホール７（固定穴）に弾倉受５Ａに設けられたロッキングボール６（固定球）が合致し固定されたとき、連発吹矢作業をすることができる。【選択図】図２
2008168090.tif 000002
【特許請求の範囲】
【請求項１】
吹き筒母体１Ｂと発射筒母体３Ｂとを弾性材質の複数の弾倉受５Ａ５Ｂ５Ｃにて合体構成された吹矢装置本体の弾倉受５Ａ５Ｂ５Ｃの空間に複数の矢を装填した回転弾倉２を着脱、回転、固定させるにあたり、複数の弾倉受の弾性張力と弾性回復力による膨張を利用する事で回転弾倉２の外周側面を複数の弾倉受５Ａ５Ｂ５Ｃで回転自在に支持する構造により、回転弾倉２は回転軸を有する事なく、弾倉受５Ａ５Ｂ５Ｃに保持収納される。この複数の弾倉受５Ａ５Ｂ５Ｃの弾性張力と弾性回復力による膨張により、回転弾倉２の瞬時の着脱、並びに回転弾倉２の回転、固定を可能とした連発式吹矢玩具装置。
【発明の詳細な説明】
【技術分野】
【０００１】  この発明は回転弾倉を備えた吹矢玩具装置に関するものである。
【背景技術】
【０００２】  実開文献  １  実開  平４−１１５２９５
実開文献  ２  実開  昭５３−７８１００
【発明の開示】
【発明が解決しようとする課題】
【０００３】  従来の連発式吹矢玩具において、回転弾倉は回転軸を有し、この回転軸を利用して回転弾倉を回転自在に支持する構造であり、回転弾倉の吹矢装置本体への着脱、並びに回転弾倉への矢の装填に手間どり、ある程度の時間を必要としていた。
【課題を解決するための手段】
【０００４】  今回の課題は、連発式吹矢玩具において、回転弾倉が回転軸を有し、この回転軸を利用して回転弾倉を回転自在に支持する構造にある。この発明は、弾性材質の複数の弾倉受を利用する事で、回転弾倉は回転軸を必要とせず、その外周側面を複数の弾倉受で支持する構造により、回転弾倉を芯を保ちながら回転自在にさせる事を可能とし、更に回転弾倉を瞬時に着脱させる事も可能とした事にある。吹き筒母体１Ｂと発射筒母体３Ｂとを弾性材質の複数の弾倉受５Ａ５Ｂ５Ｃにて合体構成された吹矢装置本体の弾倉受５Ａ５Ｂ５Ｃの空間に複数の矢を装填した回転弾倉２を着脱、回転、固定させるにあたり複数の弾倉受の弾性張力と弾性回復力による膨張を利用する事で回転弾倉２の外周側面を複数の弾倉受５Ａ５Ｂ５Ｃが支持する構造により、回転弾倉２は回転軸を有する事なく、弾倉受５Ａ５Ｂ５Ｃに保持収納される。この複数の弾倉受５Ａ５Ｂ５Ｃの弾性張力と弾性回復力による膨張により、回転弾倉２の瞬時の着脱、並びに回転弾倉２の回転、固定を可能とした連発式吹矢玩具装置である。基本的にこの吹矢装置は、弾倉受５Ａ５Ｂ５Ｃの弾性張力と弾性回復力による膨張を利用して、回転弾倉２を吹矢装置本体の弾倉受５Ａ５Ｂ５Ｃの空間へ指の力で横方向に瞬時に、押し込み装着、押し出し離脱させるものである。
【発明の効果】
【０００５】  従来の連発式吹矢玩具において、回転弾倉は、回転軸を介して吹矢装置本体に装着されていた。吹矢装置本体と回転弾倉を一体化するにあたり、回転軸は、その末端をナットもしくはピン等で止める方法がとられていた。そのため矢を装填した状態の回転弾倉を吹矢装置本体に装着する場合、もしくは、吹矢装置本体に装着された状態の回転弾倉に矢を装填する場合の双方とも回転弾倉の着脱、及び回転弾倉への矢の装填に手間どり、ある程度の時間を必要としていた。この発明は、弾性材質の複数の弾倉受で回転弾倉の外周側面を支持する構造により、回転弾倉は回転軸を持つ必要がなくなり、回転弾倉の着脱、及び回転弾倉へ矢を装填する作業を短時間の内に行う事を可能とした。更に、この弾性材質の複数の弾倉受の弾力性は、一度装着された回転弾倉の外周側面を確実に支持する事で、回転弾倉は、回転軸を有する事なく、その芯を保ちながら弾倉を回転、及び固定させる事が出来、更に弾倉を吹矢装置本体から瞬時に着脱させる事を可能とした。
【発明を実施するための最良の形態】
【０００６】  この発明は連発式吹矢玩具において、弾性材質を使用した複数の弾倉受で回転弾倉の外周側面を回転自在に支持する構造により、回転弾倉２を芯を保ちながら回転させる事と同時に特定の位置に固定させる事を可能とした。更に回転弾倉２を瞬時に着脱させる事も可能とした。この吹矢玩具装置本体は、図１に示すように、吹き筒を支持する吹き筒母体１Ｂと発射筒を支持する発射筒母体３Ｂとを弾性材質の複数の弾倉受５Ａ５Ｂ５Ｃで合体構成された集合体である。はじめに、回転弾倉２が吹矢装置本体に保持収納される過程について説明する。この吹矢玩具装置は、弾倉受５Ａ５Ｂ５Ｃの弾性材質の弾性張力と弾性回復力による弾倉受の膨張を利用することで回転弾倉の瞬時の保持収納を可能とした。そのためには、弾倉受５Ａと弾倉受５Ｂとの間隔と弾倉受５Ａと弾倉受５Ｃとの間隔は、同一となる様に設定し、この間隔は図１に示すように、円筒形の回転弾倉２の円の部分の直径に対し、同等、もしくは弾倉受５Ａ５Ｂ５Ｃが膨張する分量だけ小さく設定することが必要となる。回転弾倉２の全長は、吹き筒母体１Ｂの回転弾倉２に接する面と発射筒母体３Ｂの回転弾倉２に接する面との長さと同等とする。これにより、回転弾倉２は吹矢装置本体に指の力で押し込み装着され、保持収納される。次に回転弾倉２が弾倉受５Ａ５Ｂ５Ｃの中で回転し特定の位置に固定される過程について説明する。まず、弾倉受５Ａの回転弾倉２に触れる部分の中央にロッキングボール６（固定球）を設けておく。つづいて、回転弾倉２の表面にガイドレール８（案内溝）を設け、更にガイドレール８上に弾倉の数と同数のロッキングホール７（固定穴）を設ける。ロッキングボール６は回転弾倉２をその中心方向に押し付ける力を働かせている。この状態で指を使用して回転弾倉２を回転させてゆくと、回転弾倉２はガイドレール８に設けられたロッキングホール７と弾倉受５Ａに設けられたロッキングボール６とが合致するときに特定の位置に固定される。吹き筒母体１Ｂの吹き筒１と発射筒母体３Ｂの発射筒３はその中心線を保つように設定しておく。前述の回転弾倉２を固定させるにあたり、回転弾倉２内の各弾倉９が吹き筒１と発射筒３と一本の筒となるよう予めロッキングボール６とロッキングホール７が合致するよう設定しておく。この状態で弾倉９に装填された矢を口で吹くことが可能となる。尚、吹き筒１の内径、各弾倉９の内径、及び発射筒３の内径は同等とする。
【図面の簡単な説明】
【０００７】
【図１】本発明の連発式吹矢玩具装置の全体図及び回転弾倉図
【図２】同連発式吹矢玩具装置の回転弾倉及び複数の弾倉受の詳細図
【図３】同連発式吹矢玩具装置の上面、側面及び下面図
【符号の説明】
【０００８】    １  吹き筒
１Ａ  吹き口
１Ｂ  吹き筒母体
２  回転弾倉
３  発射筒
３Ａ  発射口
３Ｂ  発射筒母体
４  マウスピース
５Ａ  弾倉受
５Ｂ  弾倉受
５Ｃ  弾倉受
６  ロッキングボール（固定球）
７  ロッキングホール（固定穴）
８  ガイドレール（案内溝）
９  弾倉
【図１】
2008168090.tif 000003
【図２】
2008168090.tif 000004
【図３】
2008168090.tif 000005
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
円筒状の回転弾倉であって、その外周面の内側における長手方向に延在する回転中心線と該外周面との間において、該円筒状の外周面の半径以下の内径を有する複数の同一長さの弾倉を、前記回転中心を中心とする所定円周上に該弾倉の中心線を一致させて保持する回転弾倉と、
前記弾倉と略同一の内径を有する吹き筒を保持する、前記回転弾倉と略同一径の円筒状の外周面を有する吹き筒母体と、
前記弾倉と略同一の内径を有する発射筒を保持する、前記回転弾倉と略同一径の円筒状の外周面を有する発射筒母体と、
前記吹き筒と前記発射筒とが、その中心線を一致させつつ前記弾倉の長さに相当する間隔を空けて配置されるように前記吹き筒母体および前記発射筒母体を接続するとともに、前記吹き筒および前記発射筒の中心線の延長線上に前記回転弾倉の前記所定円周が位置するよう、前記吹き筒と前記発射筒との間において前記回転弾倉を回転自在かつ着脱自在に支持する、弾性材質の細長形状を有する複数の弾倉受とを備え、
前記複数の弾倉受のうちの一の弾倉受と該回転弾倉の回転中心線を介して対向する位置に他の弾倉受が配設されてなり、該複数の弾倉受の弾性張力および弾性回復力による膨張を利用することにより、前記回転弾倉の着脱、回転および固定を可能としたことを特徴とする連発式吹矢玩具装置。